(57)【特許請求の範囲】
【請求項１】
水の循環系に接続される通水管内に間隔を開けて一対の電極を対向配置し、これら電極間に交流矩形波電圧を印加することによって循環水中のスケール成分の析出を抑制する電極式スケール成分の析出抑制装置において、前記一対の電極間の負荷電圧と測定される電流値の積（VA値）を予め設定した１VA〜４VAの範囲で制御する制御装置を設けたことを特徴とする電極式スケール成分の析出抑制装置。
【請求項２】
通水管内に電気伝導率センサーを配設して循環水の電気抵抗値を電気伝導率として継続的に測定すると共に、その測定値と電極間の電流値の対応関係を監視し、電極面への不動態成分の付着、或は、電極の摩耗又は損耗による当該電極の異常を検出する手段を制御装置に具備した請求項１の電極式スケール成分の析出抑制装置。
【請求項３】
通水管内に水温センサーを配設して循環水の温度を測定し、測定温度における電気伝導率を、一定の水温における電気伝導率に換算して検出する検出手段を制御装置に具備した請求項２の電極式スケール成分の析出抑制装置。
【請求項４】
電気伝導率の上限値と下限値を予め設定し、検出する電気伝導率が上限値に達したとき、水の循環系内に設けた自動弁を作動させ、循環水を循環系内から排出して入れ替えるか或は補給水を供給する手段を制御装置に具備した請求項２又は３の電極式スケール成分の析出抑制装置。
【請求項５】
予め設定する電気伝導率の上限値と下限値は、季節毎、各季節の平均温度を考慮して決定した値にそれぞれ自動設定されるようにした手段を制御装置に具備した請求項４の電極式スケール成分の析出抑制装置。
【請求項６】
予め定めた時間内に電気伝導率がその上限値に達せず、自動弁が作動されないとき、強制的に自動弁を作動させ、循環水を入れ替える手段を制御装置に具備した請求項４のいずれかの電極式スケール成分の析出抑制装置。
【請求項７】
強制的に自動弁を作動させても循環水が希釈されないことが電気伝導率が設定された下限値に達しないことにより検出された場合は、自動弁の異常か又は補給水の供給がされていないこととして検出する手段を制御装置に具備した請求項６の電極式スケール成分の析出抑制装置。
【請求項８】
循環水中の塩化物イオンを活性化させることにより循環系に生息する細菌や微生物の繁殖や増殖を阻害するため、電極間に印加する交流電圧の周波数を変更する手段を制御装置に具備した請求項１〜７のいずれかの電極式スケール成分の析出抑制装置。
【請求項９】
電極間に印加する交流電圧の周波数を目的別に設定できるようにし、循環水中のスケール成分の析出を抑制するときの周波数と、細菌や微生物の繁殖や増殖を阻害するための周波数を、任意の時間毎、繰り返して設定する手段を制御装置に具備した請求項１〜８のいずれかの電極式スケール成分の析出抑制装置。
【請求項１０】
信号の入出力部を制御装置内に設け、該入出力部に接続したパーソナルコンピュータに、水温異常，電気伝導率異常，出力電流異常，電極異常，自動弁作動異常の各種異常信号を入力すると共に、該コンピュータにより、出力電圧の設定，出力電流の設定，出力周波数の設定，出力周波数の切り替え時間の設定，電気伝導率の上限値と下限値の設定，季節設定の各種設定をできるようにし、必要に応じ異常状態を外部に通報できるようにした請求項１〜９のいずれかの電極式スケール成分の析出抑制装置。
【請求項１１】
電話回線用モデムを制御装置内に設け、該モデムにより、一般電話回線や携帯電話，ＰＨＳ電話通信網を介して予め登録されたホストコンピュータに自動接続し、各種の異常報告，設定値の変更指示，異常の解除ができるようにすると共に、電気伝導率，水温，電極間の電流値のデータの蓄積ができるようにした請求項１〜１０のいずれかの電極式スケール成分の析出抑制装置。
【発明の詳細な説明】
【０００１】
【発明の属する技術分野】
本発明は、クーリングタワー，熱交換器，ボイラー等における水循環系において、通水管を通る循環水からスケール成分が析出するのを抑制するための装置に関する。
【０００２】
【従来の技術】
様々な水の循環系においては、水中に含まれたカルシウムやマグネシウム等の成分が析出し、通水管の内壁面やこれに接続された各種機器の内壁にスケールとして付着し成長すると、水の流れが悪くなるなどの問題が生じることが知られている。
【０００３】
スケール成分が析出するのは、循環する水の一部蒸発などによる水の溶解度の減少や、水中にイオンとして溶解しているカルシウムやマグネシウム等がその活性を失ったり他の成分と反応して析出したり、結晶化するなどの要因が挙げられる。
【０００４】
上記の問題を解決するために、従来から種々の装置が開発されているが、例えば、特開平８−２９９９８９号や特開平８−３３２４９９号、特開平５−３０９３９３号などには、電極式の水処理装置が提案されている。
【０００５】
電極式水処理装置は、水の循環系内に間隔を介して電極を対向配置し、これらの電極間に一定の電圧を印加して水中のスケール成分の析出を抑制する原理に基づくもので、電極間に流される電流によって、循環する水をイオン的に活性化させその析出を抑制しようとするものである。
【０００６】
上記の電極式水処理装置の中で、特開平８−２９９９８９号に係る装置は、水中のスケール成分濃縮度と水の電気伝導度とが比例することを実験等により確認した上で、水の電気伝導度を検出することにより水中のスケール成分濃縮度を間接的に検出する溶液濃度検出手段を設け、この検出手段により検出したスケール成分濃縮度が予め設定された濃縮度の上限値に達したとき、補水制御手段によって循環系内に外部の水を補給し、水中のスケール成分濃縮度を低くするようにしたものである。
【０００７】
しかし乍ら、上記装置は、循環水の水処理と水の電気伝導度の検出を同じ電極を用いて行っているので、精度の高い制御は難しかった。具体的には、電気伝導度の検出は、対向配置した電極間に流れる電流値の変化を検出して行っているので、電極に異常が生じている場合などは電気伝導度が正確に検出されず、そのため誤って検出された電気伝導度により循環系内に水を補給したり、水の補給の必要があるのに補給されないという問題があった。また、循環水の電気伝導度は外気の温度によっても変化するが、上記装置では、上限値の設定においてこの外気の温度による変化が考慮されていなかった。
【０００８】
一方、本発明の発明者は、上記のような電極式水処理装置の試験運転などを通して、循環水のスケール成分（結晶物）が良好に分散されるのは、電極に印加される電圧（Ｖ）とその電極から水に流れる電流（Ａ）が、VA≒１〜４VA程度のとき最も良く分散されるという知見を得た。
【０００９】
【発明が解決しようとする課題】
本発明は、上記従来の電極式水処理装置の有する問題点と、発明者が得た知見に鑑み、電極式水処理装置の運転制御を最適に行えるようにした新たなスケール成分の析出抑制装置を提供することを、その主な課題とするものである。
【００１０】
【課題を解決するための手段】
上記課題を解決することを目的としてなされた本発明の構成は、水の循環系に接続される通水管内に間隔を開けて一対の電極を対向配置し、これら電極間に矩形波交流電圧を印加することによって循環水中のスケール成分の析出を抑制する電極式スケール成分の析出抑制装置において、前記一対の電極間の負荷電圧と測定される電流値の積（VA値）を予め設定した１VA〜４VAの範囲で制御する制御装置を設けたことを特徴とするものである。
【００１１】
本発明は、上記構成において、負荷電圧と電流値の積（VA値）の範囲は１VA〜４VAであるとき、循環水のスケール成分が析出せず、また循環水中に析出しているスケール成分が最も効率よく分散することを確認している。即ち、発明者はVA値とスケール成分の分散率の関係については、図３のVA値とスケール成分の分散率との関係を線図に表わし、この線図を解析してみたところ、スケール成分の分散は電極間に電圧が印加されると始まるが、VA値がある程度以上になると、それ以上の分散は望めないことが判ったからである。
【００１２】
上記の電極間に印加する電圧は、交流の矩形波であり、この電圧の印加によって水中のマイナスイオンが活性化されてスケール成分の分散が促進されるのであるが、図４に示すようにVA値と酸化還元電位低下をデータにとってみると、３VA近傍で酸化還元電位低下率がピークを示しており、この３VA近くが酸化還元雰囲気のピークでありその前後では酸化還元雰囲気が小さくなっていることが判る。
【００１３】
従って、本発明では、スケール成分の水中での分散率が高く、同時に水の酸化還元雰囲気が高まる環境のVA値を１VA〜４VAの範囲に設定し、VA値がこの範囲になるように電極に印加する交流矩形波の電圧と電流を制御すると共に、制御するVA値の範囲内において他の制御要素を検出し、この検出値に基づいて本発明装置全体の制御を行うものである。
【００１４】
【発明の実施の形態】
次に、本発明の実施の形態例を図に拠り説明する。図１は本発明電極式スケール成分の析出抑制装置の一例の概略を模式的に示すブロック図、図２は図１に示した装置の制御装置の詳細を示すブロック図、図３はVA値とスケール成分の分散率との関係を示す線図、図４はVA値と酸化還元電位低下率の関係を示す線図である。
【００１５】
図１，図２において、１は水循環系内における通水路に挿入される本発明電極式スケール成分の析出抑制装置の通水管で、この通水管１は、その前，後に設けられた接続フランジ1a，1aにより既設の水循環系内における通水路に挿入される。２，３はこの通水管１内に適宜間隔を開けて対向配置された一対の電極である。これらの電極２，３には、それぞれ通水管１の外部に電気的に接続される接続用端子2a，3aが取付けられている。
【００１６】
４は本発明のスケール成分抑制装置における制御装置で、上記の電極２，３間に印加する交流電圧を制御したり、両電極２，３間に流れる電流等を測定し、異常状態の検出や装置に各種の操作を加えるためのものであるが、その詳細は後述する。５は上記通水管１に設けられた電気伝導率センサーで、センサー部分5aは、通水管１内を流れる循環水に常時接するように設けられている。６は同じく通水管１に設けられた温度センサーで、センサー部分6aは、通水管１内を流れる循環水に常時接するように設けられている。これらの電気伝導率センサー５や温度センサー６は、それぞれ上記制御装置４に電気的に接続されている。
【００１７】
７は本発明装置が挿入される水循環系（通水路）の適宜箇所に設けられている自動弁で、上記制御装置４に電気的に接続されており、制御装置４からの制御出力により当該水循環系内に水を補給する水補給路の開閉バルブとして、或は、循環系内の水を排出して新たな水を補給する開閉バブルとして機能する。
【００１８】
８は上記制御装置４に接続されたパーソナルコンピュータ（以下、パソコン）であり、出力電圧の設定や出力電流などの設定をすると共に、制御装置４に検出された通水管内の水温や電気伝導率等の信号、或は、出力電流や電極等の異常を示す信号が入力され、パソコン８を介して本発明スケール成分析出抑制装置の運転状態や水循環系の異常などを外部に取出し、その表示等ができるようにしている。
【００１９】
９は上記制御装置４に前記パソコン８と並列して接続した携帯電話，ＰＨＳの電話通信網10、又は、一般電話回線11を介して接続されているホストコンピュータである。
【００２０】
次に、図２により、制御装置４について、その詳細を説明する。図２において破線で囲まれた部分が制御装置４である。41は制御装置４内の交流波発振回路で、交流の矩形波を出力する。42は発振回路41に電力を供給する電源部、43は交流波発振回路41から出力される交流矩形波の電極２，３への印加電圧（Ｖ）を設定する出力電圧設定部、44は交流波発振回路41の交流矩形波の周波数を設定する出力周波数設定部である。
【００２１】
交流波発振回路41から設定した周波数と電圧により電極２，３に交流矩形波を印加すると、電極２，３間に電流が流れ、この電流が、出力電流表示部45において検出される。46は、出力電圧設定部43に設定した出力電圧（Ｖ）と出力電流表示部45において検出された電流（Ａ）とを、適宜のサンプリングインターバルで積算するVA値演算部、47はこのVA値演算部46において適宜のサンプリング周期で演算されるVA値を検出し、検出されるVA値が所定の範囲内にあるか否かを、前記サンプリング周期でチェックし、ここでは１VA〜４VAの範囲外になったとき、それを異常として検出するように設定したVA値異常検出回路である。
【００２２】
次に、上記の構成部分による本発明スケール成分析出抑制装置の制御内容について説明する。本発明では、出力電流表示部45において検出される電流（Ａ）とVA値演算部46に設定したVA値との関係で、出力電圧設定部43における電圧（Ｖ）を制御し、VA値が上記VA値演算部46に設定した１VA〜４VAの範囲内にあるように制御する。例えば、出力電圧設定部43において、制御し得る電圧（Ｖ）の範囲を約０〜30Ｖに設定し、10Ｖの出力電圧を印加したとき、出力電流部45に100mAの電流が検出されると、このときのVA値は１VAである。
【００２３】
通水管１においては、電極２，３に交流矩形波が印加され、通水系内のスケールが分散されるなどして、水が濃縮を始めると電流値が上昇するが、負荷電圧は下がる。例えば、上記の初期値状態から電流値が200mAに上昇したとき、電圧が５Ｖに下がっても、VA値は１VAのままであるので、水処理を行える環境は維持される。しかし、このとき何らかの原因で電圧が４Ｖまで下がったときは、VA値は0.8VAとなるので、VA値異常検出部47では水処理効率が低下した環境になったと判断し、VA値異常として検出する。なお、上記では制御し得る電圧（Ｖ）の範囲を約０〜30Ｖに設定したが、30Ｖ以下に設定してもよく、また、30Ｖより大きい電圧に設定することもできる。
【００２４】
本発明スケール成分析出抑制装置は、上記の構成に、以下に説明する構成を付加して本発明析出抑制装置における制御装置を形成しているので、以下、この点について説明する。
【００２５】
図２において、48は出力電流異常検出部で、電極間の負荷電圧の変化が、急激な電流値の変化に追随しきれない場合や、電極間に印加する電圧を一定電圧に固定する場合、或は、印加する電圧を狭い範囲に設定する必要がある場合などに対処するため、予め電極間に流れる電流の許容範囲を設定しておき、その電流値の許容範囲外になったとき、異常として検出するためのものである。
【００２６】
なお、本発明においては、電極２，３間に一定の電流を流したときの電極２，３間の負荷電圧を測定し、この測定した電圧に対応して電極２，３間に流す電流値を上下に制御して上記VA値の範囲内になるように制御するようにしてもよい。
【００２７】
49は電気伝導率検出部であり、この検出部49においては、上記の通水管１に設けられた電気伝導率センサー５からの信号を、同じく通水管１に設けられた水温センサー６からの信号を加味して処理することにより、通水管１における一定温度時の電気伝導率を検出する。50は電極診断部であり、この診断部50において、上記の電気伝導率検出部49で検出した一定温度下の数値に換算された電気伝導率と、電極２，３に流れる電流値から得られる電気伝導率を比較して、電極面への不動態成分の付着、或は、電極の摩耗又は損耗など、電極に異常があるか否かを診断する。この電極の診断は、電極２，３によるスケール成分の析出を抑制する操作とは別に、この抑制操作の合間に適宜間隔で行われる。具体的には、定電圧回路部51から一定の電圧を電極２，３に印加し、そのとき流れる電流値を電気伝導率換算部52において電気伝導率に換算して、上記のように比較して行う。
【００２８】
53は自動弁動作設定部であり、上記電気伝導率検出部49において検出する電気伝導率の許容し得る上限値と下限値を設定し、検出した電気伝導率が上限値に達したときを、電気伝導率検出部49で検出し、この検出に基づく信号により自動弁７を作動させて、循環水の排出，入れ替え或は補給水の供給をする。実施例では、前記設定部53に予め設定する電気伝導率の上限値と下限値を、季節設定部54を設けて、各季節毎、その季節における平均温度を考慮して予め決定した上限値と下限値がそれぞれ自動設定されるようにしている。
【００２９】
上記の自動弁動作設定部53には、予め定めた時間内に電気伝導率がその上限値に達せず自動弁７が作動されない場合、強制的に自動弁７を作動させて循環水を加えたり、入れ替える設定もできる。
【００３０】
なお、強制的に自動弁７を作動させても循環水が希釈されないことが、電気伝導率検出部49に検出される電気伝導率が下限値に達しないことにより検出された場合は、自動弁７の異常か又は補給水の供給がされていないと判断して、その旨の出力をするように、自動弁動作設定部53や電気伝導率検出部49に設定できる。
【００３１】
55は制御装置４に設けた入出力部で、制御装置４に上述したパソコン８などを接続するためのものである。56はこの入出力部55に接続されているモデムで、このモデム56により携帯電話，ＰＨＳの電話通信網10、又は一般電話回線11を介してホストコンピュータ９に制御装置４が自動的に接続されることとなり、このホストコンピュータ９により、制御装置４の各種の異常報告，設定値の変更指示，異常の解除ができる。また、このホストコンピュータ９には、電気伝導率，水温，電極間の電流値等のデータを蓄積することができるので、各循環系内に設けられて各析出抑制装置の運転状態や運転の履歴を個々に把握することができ、その結果に基づき、制御装置４の各種設定や操作内容をより好ましい方向に変更することができるようになる。
【００３２】
次に、以上のように構成される本発明装置の作用、或は、機能について説明する。本発明装置では水の電気伝導率を、水処理用の電極２，３間の電流値や負荷電圧の変化により検出するのではなく、上記のように通水管１内に電気伝導率センサー５を配設し、循環水の電気抵抗値を電気伝導率として継続的に測定することにより検出するように構成している。この構成にしたのは、従来のように、水処理用の電極による電気伝導率の検出では、電極に異常が生じたときなどは正確な伝導率の検出ができないからである。
【００３３】
また、上記の本発明装置では、上記電気伝導率の測定形態においてその測定値と電極２，３間の電流値の対応関係を監視し、電極面への不動態成分の付着、或は、電極の摩耗又は損耗など、電極の異常を検出する手段を設けている。この電極異常の検出は、電極２，３による循環水中のスケール成分析出の抑制の合間に、適宜間隔で行う。例えば、電極間に定電圧回路51から10KHz、５Ｖの定電圧を印加したときに流れる電流を測定し、測定した電流値から伝導率換算部52に記憶させてある予め求めた電流値−電気伝導率換算表（通水管１の径により換算表の内容は異なる）により電気伝導率を求め、この求めた電気伝導率と上記の電気伝導率センサー５により測定した電気伝導率を比較して行う。比較の一例として、次のように判断できる。
・センサーにより求めた電気伝導率＝電極板から求めた電気伝導率…正常
・センサーにより求めた電気伝導率＞電極板から求めた電気伝導率…電極異常
【００３４】
本発明装置では、また水の通水管１内に水温センサー６を配設して循環水の温度を測定し、測定温度における電気伝導率を、一定の水温における電気伝導率に換算して検出する手段を設ける構成を採用している。これは電気伝導率は水の溶解度に関連するが、水の溶解度は温度により変化するので、電気伝導率も温度により変動する。そこで、電気伝導率の上限値と下限値の設定を一定の温度に換算した値で設定する必要があるなどの理由からである。
【００３５】
更に、本発明装置では、電気伝導率の上限値と下限値を予め設定し、検出する電気伝導率が上限値に達したとき、循環系内に設けた自動弁７を作動させ、循環水を循環系内から排出して入れ替えるか或は補給水を供給する手段を設ける構成を採用している。これは、スケール成分が析出せずに水中に最も効率よく分散する処理を、水処理用の電極２，３により最適なVA値の範囲内で行うと共に、このVA値の範囲内で電気伝導率センサー５により電極２，３による水処理の状態を監視し、自動弁７の制御を行えるようにするためである。因みに、水処理用の電極で電気伝導率の検出を行う従来技術では、精度の高い自動弁等の制御が行えなかった。本発明装置では、上記のように電極２，３の診断もできる。なお、本発明装置では、予め設定する電気伝導率の上限値と下限値は、季節毎、その季節に対応した値にそれぞれ自動設定される構成にすることができるので、従来装置のように、季節の変更に伴い、その都度設定を変更しなければならないという煩わしさがない。
【００３６】
また、予め定めた時間内に電気伝導率がその上限値に達せず、自動弁７が作動されないとき、強制的に自動弁７を作動させ、循環水を入れ替えるようにした構成を設けてもよい。強制的に自動弁７を作動させても循環水が希釈されないことが、電気伝導率が設定された下限値に達しないことなどにより検出された場合は、自動弁７の異常か又は補給水の供給がされていないこととして検出する構成を設けることもできる。これは析出抑制装置を長時間運転していると、様々な要因で異常状態になることがあるが、異常状態が生じたときその状態でそのまま運転が継続がされてしまうと、装置に与えるダメージが大きく、修復に手間が掛かることから、異常状態が生じたとき、直ぐにその状態を検出し、知らせることができるようにするためである。
【００３７】
更に、本発明装置は、制御装置４に入出力部55を設けてパソコン８を接続できるようにし、このパソコン８によって、出力電圧の設定，出力電流の設定，出力周波数の設定，出力周波数の切り替え時間の設定，電気伝導率の上限値と下限値の設定，季節設定等の設定をできるようにすると共に、パソコン８に水温や電気伝導率の信号、出力電流異常，電極異常，自動弁作動異常等の信号を入力し、かつ、パソコン８を介して本発明制御装置の運転状態や水循環系の異常状態を外部に表示できるようした構成を採用している。このようにパソコン８で制御装置４における出力電圧等の設定、水温や電気伝導率等の検出、異常状態の検出が行えるようにしたのは、本発明装置は１箇所の水循環系内の通水管に設けられるばかりではなく（１箇所の水循環系内の数ヶ所に設けられる場合もあるが）、通常は数ヶ所の水循環系にそれぞれ設けられるので、管理者がパソコン８を携帯して各スケール成分の析出抑制装置に接続し、各装置ごと個々に出力電圧等の設定を行い、水温や電気伝導率等の検出や異常状態の検出をすることができれば、便利だからである。なお、異常状態がその装置で発生したとき、出力電流異常検出部48やVA値異常検出部47等から直接、警報音を発して外部に通報できる構成を設けてもよい。
【００３８】
本発明装置では、上記構成に加え、電話回線用モデム56を制御装置４に設け、このモデム56を介して、一般電話回線11や携帯電話，ＰＨＳの電話通信網10を予め登録されたホストコンピュータ９に自動接続し、本発明装置における各種の異常状態や設定値の設定や変更の指示などができるようにすると共に、電気伝導率，水温，電極間の電流値などのデータの蓄積ができるようにした構成を採用することができる。これは上記パソコン８により複数の本発明装置ごとに個別に異常状態の検出や各種の制御操作をすることのほか、複数の本発明装置を１箇所において集中的な管理を行うと共に、遠隔操作を行うようにするためである。更には、本発明装置の運転状況や各種の検出信号、設定内容等のデータを蓄積することにより、本発明スケール成分の析出抑制装置の動作内容の解析ができるようにして、該装置の維持管理を行うことも可能にしている。
【００３９】
本発明の電極式スケール成分析出抑制装置の主な構成並びにその機能は、上述した通りであるが、本発明装置は、循環水中におけるスケール成分の析出を抑制するためだけのものではなく、循環する水を常時清潔に保つ、即ち、循環水中の塩化物イオンを活性化させることにより循環系に生息する細菌や微生物の繁殖や増殖を阻害する構成を採用している。
【００４０】
具体的には、出力周波数設定部44において、電極２，３間に印加する交流矩形波の周波数を変更することにより、細菌や微生物の繁殖や増殖を阻害することもできる。即ち、電極２，３間に印加する交流矩形波の周波数を、スケール成分の析出を抑制するときの周波数より低い周波数にすることによって、循環水中の塩化物イオンに電位がチャージされ活性化する。このとき、次亜塩素検出用の試薬であるオルトトリジンにて循環水が反応することが知られているが、この電位チャージされた塩化物イオンを用いて循環系に生息するバクテリア（細菌）や微生物の生殖を阻害することができる。このようにすることによって循環系内が清潔に維持されるばかりでなく、水を入れ替えたときなどにおいても廃棄する水が周辺環境に悪い影響を与えないという効果が得られる。
【００４１】
また、上記の出力周波数設定部44において、電極２，３間に印加する交流矩形波の周波数を目的別に設定できるようにし、循環水中のスケール成分の析出を抑制するときの周波数と、細菌や微生物の繁殖や増殖を阻害するための周波数を、任意の時間毎、繰り返して設定することもできる。電極２，３間に印加する交流矩形波の周波数は、ここでは、スケール成分の析出を抑制するときの周波数を0.1kHz〜10kHzにし、細菌や微生物の繁殖や増殖を阻害するための周波数は、相対的にスケール成分の析出を抑制するときの周波数より低い周波数に設定するようにしている。設定する周波数は、装置を運転効率との関係で適宜変更可能である。
【００４２】
【発明の効果】
本発明は以上の通りであって、本発明装置は、通水管に配設した電極に交流矩形波を印加することによりスケール成分の析出を抑止し、また、析出したスケール成分を分散させる水処理において、その処理を効率よく行うための制御を、所定のVA値の範囲内において制御することにより、スケール成分の析出を効果的に抑制すると共に、水の電気伝導率の検出を水処理用の電極とは別に設けた電気伝導率センサーで行うようにしたので、電極異常などによる誤作動はほとんどなく、しかも、電極に異常があるか否かの診断をすることもできるので、スケール成分の析出抑制装置としての極めて完成度の高い装置である。
【００４３】
また、本発明装置は、スケール成分の析出抑制ばかりでなく、循環系内のバクテリアや微生物の繁殖や増殖を阻害できるので、循環水を清潔に維持することができるという効果が得られる。
【００４４】
更に、本発明装置は、パソコンで、各装置毎、個々に制御管理ができると共に、各装置をホストコンピュータで一括管理することもでき、また、これを電話回線などを使用して遠隔制御，管理をすることもできる。
【図面の簡単な説明】
【図１】本発明電極式スケール成分の析出抑制装置の一例の概略を模式的に示すブロック図。
【図２】図１に示した装置の制御装置の詳細を示すブロック図。
【図３】  VA値とスケール成分の分散率との関係を示す線図。
【図４】  VA値と酸化還元電位低下率の関係を示す線図。
【符号の説明】
１      通水管
２，３  電極
４      制御装置
５      電気伝導率センサー
６      水温センサー
７      自動弁
８      パソコン
９      ホストコンピュータ
10      電話通信網
11      一般電話回線
41      交流波発振回路
42      電源部
43      出力電圧設定部
44      出力周波数設定部
45      出力電流表示部
46      VA値演算部
47      VA値異常検出回路
48      出力電流異常検出部
49      電気伝導率検出部
50      電極診断部
51      定電圧回路部
52      伝導率換算部
53      自動弁動作設定部
54      季節設定部
55      入出力部
56      モデム
【図１】
0004873791.tif 000002
【図２】
0004873791.tif 000003
【図３】
0004873791.tif 000004
【図４】
0004873791.tif 000005